(57)【要約】【解決手段】デジタルコンテンツを公開するシステムが記載される。ある実施形態で、システムは、識別情報及び現在位置を示す情報を送信するように構成された第一のユーザに関連したビーコン装置を含む。ブラウザ装置は、ローカルな地理的区域の表現を第二のユーザに表示し、第一のユーザに関連したコンテンツ情報を、ビーコン装置の位置がローカルな地理的区域内にあるか否かに少なくとも部分的に基づいて第二のユーザに選択的に表示するように構成され適合されたディスプレイを含む。【選択図】図１
2010534882.tif 000002
【特許請求の範囲】
【請求項１】
第一のユーザと関連したビーコン装置であって、前記ビーコン装置の現在位置を示す位置情報及び前記ビーコン装置を識別する識別情報を繰り返し送信するように構成された前記ビーコン装置と、
ローカルな地理的区域の表現を第二のユーザに表示するように構成され及び適合され、かつ、前記ビーコン装置の場所が前記ローカルな地理的区域内にあるか否かに少なくとも部分的に基づいて、前記第一のユーザと関連したコンテンツ情報を前記第二のユーザに選択的に表示するように構成され及び適合されたディスプレイを含むブラウザ装置と、
を含むことを特徴とするデジタルコンテンツを公開するシステム。
【請求項２】
前記コンテンツ情報は、前記ビーコン装置が前記表現されたローカルな地理的区域内にあるときに前記第一のユーザの近似位置を含む請求項１に記載のデジタルコンテンツを公開するシステム。
【請求項３】
前記送信された位置情報を受信し、前記送信された位置情報から前記ビーコン装置の位置を計算し、前記コンテンツ情報を前記計算された位置とリンクさせる受信機及び処理装置を含むランドスケープサービス・システムを更に有する請求項１に記載のデジタルコンテンツを公開するシステム。
【請求項４】
ローカルな地理的区域の表現及び第二のユーザに関連したコンテンツ情報を第一のユーザに表示するように構成され及び適合されたディスプレイを含むブラウザ装置であって、前記コンテンツ情報は、前記第二のユーザと関連したビーコン装置によって決定される前記第二のユーザの場所に少なくとも部分的に基づいて選択的に表示される前記ブラウザ装置を含むことを特徴とするデジタルコンテンツを公開するシステム。
【請求項５】
前記ブラウザ装置は、前記ローカルな地理的区域の表現にオーバーレイして前記コンテンツ情報を前記第二のユーザに表示する請求項４に記載のデジタルコンテンツを公開するシステム。
【請求項６】
前記表示されるコンテンツ情報は、一つ以上のマルチメディア画像を含む請求項５に記載のデジタルコンテンツを公開するシステム。
【請求項７】
前記ブラウザ装置は、前記ローカルな地理的区域のサイズの変更、前記ディスプレイの視方向の変更、見晴らしのよい地点の場所の変更、視野の深さの変更、前記ディスプレイの視野角度の変更、一つ以上のハイパーリンクをフォローする意図、前記表示される情報の少なくとも一部をフリーズ及び／又はセーブする意図から成る群から選択される一つ以上のタイプの第一のユーザからの入力を受信するように配置され及び構成されたユーザ入力コントロールを含む請求項４に記載のデジタルコンテンツを公開するシステム。
【請求項８】
前記コンテンツ情報は、地理的パラメータ及び情報コンテンツから成る群から選択される一つ以上のタイプのパラメータに基づく一つ以上のポリシーに従って表示され、前記ポリシーの少なくとも一つは、前記第一のユーザから発行される請求項４に記載のデジタルコンテンツを公開するシステム。
【請求項９】
前記コンテンツ情報は、前記ビーコン装置が前記表現されたローカルな地理的区域内にあるときに前記第一のユーザの近似位置を含み、前記近似位置は、前記第一のユーザから前記第二のユーザの方への一般的方向を指示することによって前記第一のユーザに示される請求項４に記載のデジタルコンテンツを公開するシステム。
【請求項１０】
前記ブラウザ装置は、携帯用であり、前記ローカルな地理的区域は、前記ブラウザ装置に対して地理的にローカルであり、前記ブラウザ装置は、前記ブラウザ装置の位置を感知する位置センサを含む請求項４に記載のデジタルコンテンツを公開するシステム。
【請求項１１】
前記ローカルな地理的区域の表現は、地図、航空画像及び所定の方向のビューを示す画像からなる群から選択されるタイプである請求項４に記載のデジタルコンテンツを公開するシステム。
【請求項１２】
前記ローカルな地理的区域の表現は、前記所定の方向のビューを示す画像であり、前記画像は、前記所定の方向に向けられたカメラから生成される請求項１１に記載のデジタルコンテンツを公開するシステム。
【請求項１３】
前記ローカルな地理的区域のサイズは、約１００メートルの半径を有する略円より小さい請求項４に記載のデジタルコンテンツを公開するシステム。
【請求項１４】
ローカルな地理的区域の表現及び第二のユーザに関連したコンテンツ情報をブラウザ装置によって第一のユーザに対して表示し、前記コンテンツ情報は、前記第二のユーザと関連したビーコン装置によって決定される前記第二のユーザの場所に少なくとも部分的に基づいて選択的に表示されることを有することを特徴とするデジタルコンテンツを公開する方法。
【請求項１５】
前記ブラウザ装置は、前記ローカルな地理的区域の表現にオーバーレイして前記コンテンツ情報を前記第二のユーザに対して表示する請求項１４に記載のデジタルコンテンツを公開する方法。
【請求項１６】
前記表示されるコンテンツ情報は、一つ以上のマルチメディア画像を含む請求項１５に記載のデジタルコンテンツを公開する方法。
【請求項１７】
前記ブラウザ装置は、ユーザ入力コントロールを含み、前記ローカルな地理的区域のサイズの変更、前記ディスプレイの視方向の変更、見晴らしのよい地点の場所の変更、視野の深さの変更、前記ディスプレイの視野角度の変更、一つ以上のハイパーリンクをフォローする意図、表示された情報の少なくとも一部をフリーズ及び／又はセーブする意図から成る群から選択される一つ以上のタイプの第一のユーザからの入力を受信することを更に有する請求項１４に記載のデジタルコンテンツを公開する方法。
【請求項１８】
前記コンテンツ情報は、地理的パラメータ及び情報コンテンツから成る群から選択される一つ以上のタイプのパラメータに基づく一つ以上のポリシーに従って表示され、前記ポリシーの少なくとも一つは、前記第一のユーザから発行される請求項１４に記載のデジタルコンテンツを公開する方法。
【請求項１９】
前記コンテンツ情報は、前記ビーコン装置が前記表現されたローカルな地理的区域内にあるときに前記第一のユーザの近似位置を含み、前記近似位置は、前記第一のユーザから前記第二のユーザの方への一般的方向を指示することによって前記第一のユーザに示される請求項１４に記載のデジタルコンテンツを公開する方法。
【請求項２０】
前記ブラウザ装置は、携帯用であり、前記ローカルな地理的区域は、前記ブラウザ装置に対して地理的にローカルであり、前記ブラウザ装置は、前記ブラウザ装置の位置を感知する位置センサを含む請求項１４に記載のデジタルコンテンツを公開する方法。
【請求項２１】
前記ローカルな地理的区域の表現は、地図、航空画像及び所定の方向のビューを示す画像からなる群から選択されるタイプである請求項１４に記載のデジタルコンテンツを公開する方法。
【請求項２２】
前記ローカルな地理的区域の表現は、前記所定の方向のビューを示す画像であり、前記画像は、前記所定の方向に向けられたカメラから生成される請求項２１に記載のデジタルコンテンツを公開する方法。
【請求項２３】
前記ローカルな地理的区域のサイズは、約１０メートルの半径を有する略円より小さい請求項１４に記載のデジタルコンテンツを公開する方法。
【請求項２４】
第一のユーザと関連したビーコン装置から前記ビーコン装置の現在位置を示す位置情報の送信を繰り返し受信するように適合され及び構成された受信機システムと、
前記受信された位置情報の送信に少なくとも部分的に基づいて前記ビーコン装置の位置を計算し、前記第一のユーザと関連したコンテンツ情報を前記計算された位置とリンクさせるように構成され及び適合された処理システムと、
ローカルな地理的区域及び前記コンテンツ情報を第二のユーザに表示するように構成され及び適合されたブラウザ装置に前記コンテンツ情報を選択的に送信するように構成され適合された送信システムであって、前記コンテンツ情報は、前記計算された位置が前記ローカルな地理的区域内にあるか否かに少なくとも部分的に基づいて選択的に表示される前記送信システムと、
を含むことを特徴とするデジタルコンテンツを公開するシステム。
【請求項２５】
前記コンテンツ情報は、前記ビーコン装置の場所が前記ローカルな地理的区域内にあるか否かに少なくとも部分的に基づいて選択的に送信される請求項２４に記載のデジタルコンテンツを公開するシステム。
【請求項２６】
前記ビーコン装置の識別情報と、コンテンツ情報サーバーシステムに記憶された前記コンテンツ情報への一つ以上のポインターとを用いて、前記コンテンツ情報を、前記第一のユーザに関連させる請求項２４に記載のデジタルコンテンツを公開するシステム。
【請求項２７】
前記コンテンツ情報は、地理的パラメータ及び情報コンテンツから成る群から選択される一つ以上のタイプのパラメータに基づく一つ以上のポリシーに従って表示される請求項２４に記載のデジタルコンテンツを公開するシステム。
【請求項２８】
前記ポリシーの少なくとも一つは、前記第一のユーザと前記第二のユーザのいずれでもない第三者によって発行される請求項２７に記載のデジタルコンテンツを公開するシステム。
【請求項２９】
前記ローカルな地理的区域の表現は、地図、航空画像及び所定の方向のビューを示す画像からなる群から選択されるタイプである請求項２４に記載のデジタルコンテンツを公開するシステム。
【請求項３０】
第一のユーザと関連したビーコン装置から前記ビーコン装置の現在位置を示す位置情報を繰り返し受信し、
ローカルな地理的区域の表現及び前記第一のユーザに関連したコンテンツ情報を、ブラウザ装置を用いる第二のユーザに送信し、前記コンテンツ情報を、前記計算された位置が前記ローカルな地理的区域内にあるか否かに少なくとも部分的に基づいて選択的に表示できること、
を有することを特徴とするデジタルコンテンツを公開する方法。
【請求項３１】
前記ビーコン装置の識別情報と、コンテンツ情報サーバーシステムに記憶された前記コンテンツ情報への一つ以上のポインターとを用いて、前記コンテンツ情報を、前記第一のユーザに関連させる請求項３０に記載のデジタルコンテンツを公開する方法。
【請求項３２】
前記一つ以上のポインターは、一つ以上のＵＲＬを含む請求項３１に記載のデジタルコンテンツを公開する方法。
【請求項３３】
前記コンテンツ情報は、地理的パラメータ及び情報コンテンツから成る群から選択される一つ以上のタイプのパラメータに基づく一つ以上のポリシーに従って表示される請求項３０に記載のデジタルコンテンツを公開する方法。
【請求項３４】
前記ポリシーの少なくとも一つは、前記第一のユーザと前記第二のユーザのいずれでもない第三者によって発行される請求項３３に記載のデジタルコンテンツを公開する方法。
【請求項３５】
前記ローカルな地理的区域の表現は、地図、航空画像及び所定の方向のビューを示す画像からなる群から選択されるタイプである請求項３０に記載のデジタルコンテンツを公開する方法。
【請求項３６】
第一のユーザと関連したビーコン装置であって、前記ビーコン装置の現在位置を示す位置情報をランドスケープサービスに対して繰り返し送信するように構成され、それにより前記ランドスケープサービスが、前記第一のユーザに関連したコンテンツ情報を、前記ビーコン装置がブラウザ装置にローカルな地理的区域内にあるか否かに少なくとも部分的に基づいて、前記ブラウザ装置に選択的に送信することができる前記ビーコン装置を含むことを特徴とするデジタルコンテンツを公開するシステム。
【請求項３７】
前記コンテンツ情報は、少なくとも部分的に前記第一のユーザによって生成される請求項３６に記載のデジタルコンテンツを公開するシステム。
【請求項３８】
前記コンテンツ情報は、地理的パラメータ及び情報コンテンツから成る群から選択される一つ以上のタイプのパラメータに基づく一つ以上のポリシーに従って表示され、前記ポリシーの少なくとも一つは、前記第一のユーザから発行される請求項３６に記載のデジタルコンテンツを公開するシステム。
【請求項３９】
前記ビーコン装置によって送信される前記現在位置を示す前記位置情報は、前記ビーコン装置の場所を含む請求項３６に記載のデジタルコンテンツを公開するシステム。
【請求項４０】
ビーコン装置によって送信される前記位置情報は、前記ビーコン装置の運動のスピード及び／又は方向を含む請求項３９に記載のデジタルコンテンツを公開するシステム。
【請求項４１】
前記ビーコン装置は、前記第一のユーザの場所が前記位置情報によって示されるように前記第一のユーザによって携帯可能である請求項３６に記載のデジタルコンテンツを公開するシステム。
【請求項４２】
前記ビーコン装置は、約５分より短い時間間隔で前記位置情報を送信するように構成されている請求項３６に記載のデジタルコンテンツを公開するシステム。
【請求項４３】
前記ビーコン装置が、約１分より短い時間間隔で前記位置情報を送信するように構成されている請求項４２に記載のデジタルコンテンツを公開するシステム。
【請求項４４】
第一のユーザと関連したビーコン装置によって、前記ビーコン装置の現在位置を示す位置情報をランドスケープサービスに繰り返し送信し、それにより前記ランドスケープサービスが、前記第一のユーザに関連したコンテンツ情報を、前記ビーコン装置がブラウザ装置にローカルな地理的区域内にあるか否かに少なくとも部分的に基づいて、前記ブラウザ装置に選択的に送信することができるようにすることを有するデジタルコンテンツを公開する方法。
【請求項４５】
前記コンテンツ情報は、少なくとも部分的に前記第一のユーザによって生成される請求項４４に記載のデジタルコンテンツを公開する方法。
【請求項４６】
前記コンテンツ情報は、地理的パラメータ及び情報コンテンツから成る群から選択される一つ以上のタイプのパラメータに基づく一つ以上のポリシーに従って表示され、前記ポリシーの少なくとも一つは、前記第一のユーザから発行される請求項４４に記載のデジタルコンテンツを公開する方法。
【請求項４７】
前記ビーコン装置によって送信される前記現在位置を示す前記位置情報は、前記ビーコン装置の場所を含む請求項４４に記載のデジタルコンテンツを公開する方法。
【請求項４８】
ビーコン装置によって送信される前記位置情報は、前記ビーコン装置の運動のスピード及び／又は方向を含む請求項４７に記載のデジタルコンテンツを公開する方法。
【請求項４９】
約５分より短い時間間隔で前記位置情報を送信する請求項４４に記載のデジタルコンテンツを公開する方法。
【請求項５０】
約１分より短い時間間隔で前記位置情報を送信する請求項４９に記載のデジタルコンテンツを公開する方法。
【発明の詳細な説明】
【技術分野】
【０００１】
著作権の許諾
本特許明細書の開示内容の一部には、著作権保護の対象物が含まれる。著作権者は、特許商標庁の特許ファイル又は記録への掲載に伴う本特許明細書又は特許開示の複写には異議を提起しないが、それ以外については、どのようなものであれ、全ての著作権を制限する。
【０００２】
関連出願の相互参照
本出願は、参照によって本明細書に組み込まれる2007年7月27日に出願された米国特許仮出願No.60/952,492の優先権を主張する。
【背景技術】
【０００３】
最近の数年間に電子媒体によって公開されるコンテンツが殺到しているが見られる。ブログはほとんどあらゆる題目について人が意見を開陳することをきわめて容易にしている。ＹｏｕＴｕｂｅなどのコンテンツ公開業者は、ポピュラーソングを歌うティーンエージャーから政治や時事問題に関する真剣な議論まで、素人が制作する何百万というクリップを集積させている。多数の人々が、自己を表現し、自分のメッセージを公衆に届けたいと願っている。それに伴って、ユーザが自分のすぐ近くに人、物品、及びサービスを見つけられるようにするシステムと方法が望まれている。
【０００４】
インターネットは、ユーザが世界中の商売人や友人と結びつくことを可能にする。人が地理的に何処にいても違いがない。これは物品とサービスを世界中に宣伝することを容易にするが、関心のある情報について自分のすぐ近くまたはあらかじめ定められた地理的区域を閲覧することを難しくする。インターネットは、専門的部品の業者を地球の反対側で見つけることを助けてくれるが、一群の人々の中に医者を見つけたいと思うときにはあまり役に立たない。同様に、携帯電話テクノロジーは、ユーザが世界中にわたって電話をかけたり受けたりすることを可能にするが、ユーザが自分のすぐ近くで人や情報を見つけるためにはほとんど役に立たない。モバイル・ナビゲーション・システムは、方向の指示、特定の場所について（例えば、現在位置の近くの店やサービス・ステーションについて）の静的情報を提供することに役立ち、さらには主要道路の交通状況などの動的情報を提供することにも役立つ。しかし、今のところ、個々のユーザがローカルな地域のオーディエンスに対して自身のコンテンツを公開または宣伝するためのシステムはない。
【０００５】
現在、ウエブで公開されるコンテンツには世界中の誰でもアクセスできる。ある与えられた地理的区域に向けて公開するという可能性はほとんど又はまったくない。ある程度まで、インターネットは非常に大きいので、自分のローカルな地域にあるものをブラウジングすることは今では難しくなっている。
【発明の概要】
【課題を解決するための手段】
【０００６】
本明細書には、地理的に区別されたデジタルコンテンツ公開のためのシステム及び方法を含めたコンテンツを公開のためのシステム及び方法が記載される。
【０００７】
ある実施形態では、第一のユーザに関連したビーコン装置であって、ビーコン装置の現在位置を示す情報及びビーコンを識別する識別情報を送信するように構成されたビーコン装置を含む、デジタルコンテンツ公開のためのシステムが記載される。ブラウザ装置は、あるローカルな地理的区域の表現を第二のユーザに表示し、かつ、少なくとも部分的に該ビーコン装置の場所がそのローカルな地理的区域内にあるか否かに基づいて、第一のユーザに関連したコンテンツ情報を第二のユーザに選択的に表示するように構成され及び適合されたディスプレイを含む。
【０００８】
別の実施形態では、ローカルな地理的区域の表現及び第二のユーザに関連したコンテンツ情報を第一のユーザに表示するように構成され及び適合されたディスプレイを有するブラウザ装置を含み、第二のユーザに関連したビーコン装置によって決定される第二のユーザの場所に少なくとも部分的に基づいてコンテンツ情報が選択的に表示されるデジタルコンテンツ公開のためのシステムが記載される。
【０００９】
別の実施形態では、ローカルな地理的区域の表現及び第二のユーザに関連したコンテンツ情報をブラウザ装置によって第一のユーザに表示し、コンテンツ情報は、少なくとも部分的に第二のユーザに関連したビーコン装置によって決定される第二のユーザの場所に基づいて選択的に表示されることを有することを特徴とするデジタルコンテンツ公開のための方法が記載される。
【００１０】
別の実施形態では、第一のユーザに関連したビーコン装置からビーコン装置の現在位置を示す位置情報の送信を繰り返し受信するように構成され及び適合された受信システムを含むデジタルコンテンツ公開のためのシステムが記載される。処理システムは、少なくとも部分的に受信した位置情報の送信に基づいてビーコン装置の位置を計算し、第一のユーザに関連したコンテンツ情報を計算された位置とリンクさせるように構成され及び適合される。送信システムは、ローカルな地理的区域及びコンテンツ情報を第二のユーザに表示するように構成され及び適合されたブラウザ装置に選択的に送信するように適合され及び構成され、コンテンツ情報は、計算された位置がローカルな地理的区域内にあるか否かに少なくとも部分的に基づいて選択的に表示される。
【００１１】
別の実施形態では、第一のユーザに関連したビーコン装置からビーコン装置の現在位置を示す位置情報を繰り返し受信し、ブラウザ装置を用いて、ローカルな地理的区域の表現及び第一のユーザに関連したコンテンツ情報を第二のユーザに対して送信することを有し、コンテンツ情報を、ビーコン装置の場所がローカルな地理的区域内にあるか否かに少なくとも部分的に基づいて選択的に表示できることを特徴とするデジタルコンテンツ公開のための方法が記載される。
【００１２】
さらに別の実施形態では、デジタルコンテンツ公開のためのシステムが記載される。このシステムは、第一のユーザと関連したビーコン装置であって、ビーコン装置の現在位置を示す位置情報をランドスケープサービスに対して繰り返し送信するように構成されたビーコン装置を含み、これによって、ランドスケープサービスが、第一のユーザに関連したコンテンツ情報を、ビーコン装置がブラウザ装置にローカルな地理的区域内にあるか否かに少なくとも部分的に基づいてブラウザ装置に対して選択的に送信することができるようにする。
【００１３】
別の実施形態では、ランドスケープサービスが、少なくとも部分的にビーコン装置がブラウザ装置にローカルな地理的区域内にあるか否かに基づいて第一のユーザに関連したコンテンツ情報を選択的にブラウザ装置に対して送信することができるように、第一のユーザに関連したビーコン装置によって、ビーコン装置の現在位置を示す位置情報をランドスケープサービスに対して繰り返し送信することを有する、デジタルコンテンツ公開のための方法が記載される。
【００１４】
これらのシステム及び方法は、そこで用いられているコンポーネント、システム及び方法の多くと同様に新規であることを理解されたい。本明細書に記述されている本発明の実施例は、プロセス、装置、システム、機器、方法、コンピュータによって読取り可能な媒体、及び／又はこれらの組み合わせを含む多数の方式において実現可能であることを理解されたい。以下、実施の態様について説明する。
【００１５】
本発明は、以下の詳細な説明を添付図面とあわせて参照することによって容易に理解されるであろう。
【図面の簡単な説明】
【００１６】
【図１】システムの種々のコンポーネントをいくつかの実施形態によって示す。
【図２】ブラウザ装置の細部をいくつかの実施形態によって示す。
【図３】ランドスケープ・トランシーバをいくつかの実施形態に従って示す。
【図４】ビーコン装置の細部をいくつかの実施形態に従って示す。
【図５】プレゼンテーション計算の成分の一例をいくつかの実施形態に従って示す。
【図６】ユーザが書いたコンテンツの一例をいくつかの実施形態によって示す。
【図７】ユーザのコンテンツを表示するブラウザ装置の一例をある実施形態によって示す。
【図８】何人かのユーザからのコンテンツを表示するブラウザ装置の一例をある実施形態によって示す。
【図９】あるユーザの関心にマッチするように思われる人を見つけるために用いられるブラウザ装置の一例をある実施形態によって示す。
【図１０】重ねられたページを有するブラウザ装置の一例をある実施形態によって示す。
【図１１】ある特定のサービスを探すために用いられるブラウザ装置の一例を示す。
【発明を実施するための形態】
【００１７】
以下、本発明について詳細に説明する。いくつかの実施例について説明するが、本発明は、いずれか１つの実施例に限定されるものではなく、多数の代替、変更、及び均等物を包含することを理解されたい。更には、本発明に関する完全な理解のために、以下の説明において多数の特定の詳細事項についても記述しているが、一部の実施例は、これらの詳細事項のいくつか又は全てを伴うことなしに実施可能である。更には、明瞭のために、不必要に本発明を曖昧にすることを回避するために関連分野において既知の特定の技術内容を詳細に説明していない。
【００１８】
動的な地理更新と区別を用いてデジタルコンテンツを公開する及び／又はブラウジングするためのシステム及び方法が記載される。好ましい実施形態は、ユーザが連続的に変化する地理的環境で情報を広告し及びブラウジングすることを可能にする。ユーザは、場所が変化しているときにも、その場所に結びついた情報を提示することができる。商品及びサービスを、適切に規定されたローカルエリア内の顧客に届けながら広告することができる。
【００１９】
インターネットは、ユーザが世界中の商売人や友人と結びつくことを可能にする。人が地理的に何処にいても違いがない。これは物品とサービスを世界中に広告することを容易にするが、関心のある情報について自分のすぐ近く（又はあらかじめ定められた地理的区域）のブラウジングを難しくする。インターネットは、スプロケット業者を地球の反対側で見つけることを助けてくれるが、一群の人々の中に医者を見つけたいと思うときにはあまり役に立たない。ここで記載するシステム及び方法の実施形態は、これらの問題のいくつか又は全部を軽減するのに役立ち、ユーザが自分のすぐ近くに人、物品、及びサービスを見つけることを可能にする。
【００２０】
図１は、いくつかの実施形態に係わるシステムのいろいろなコンポーネントを示す。これらの例では、三つの部類のコンポーネント、すなわち、ビーコン、ブラウザ及びランドスケープ・サーバが用いられている。ビーコン１０２及び１０４のようなビーコンは、ランドスケープサービスに識別情報及び地理的場所情報を送信する。ランドスケープサービスは、ランドスケープ・トランシーバ１１０、１１２、１１４及び１１６を含み、その各々は、関連した処理システムを有し、互いにネットワークで結ばれている。ネットワーク結合は、実線１５０と１５２によって示されているケーブル及び／又は光ファイバーなどのハードライン、点線１５４と１５６によって示されているマイクロ波、ラジオ波通信などの無線テクノロジー、及び／又は、それらの組み合わせ又は他の適切な通信テクノロジーを用いることができる。ランドスケープサービスは、情報ランドスケープを計算し、ランドスケープを見る。ブラウザ１２０及び１２２のようなブラウザはそれぞれ、ランドスケープ・トランシーバ１１０及び１１６から、計算されたランドスケープについての情報を検索し、そのランドスケープサービスからランドスケープを見る。ブラウザにおける計算によって、情報ランドスケープのビューをユーザに提示する前にさらに変更することができる。
【００２１】
いくつかの実施形態では、ブラウザ、ビーコン、及びランドスケープ・サーバが、組み合わせ装置１３４のように同じ計算装置に又はネットワークによって結ばれた別々の計算装置に存在する。言い換えると、装置１３４は、ビーコン、ランドスケープサービスの全部又は一部、及びブラウザの一部又は全部を含むことができる。別の実施形態では、ビーコンとブラウザの機能を装置１３０と１３２などのような単一装置に統合することができる。
【００２２】
ビーコンは、ランドスケープサービスにメッセージを送ることによってその位置と識別情報をランドスケープサービスに登録する。例えば、メッセージを、ビーコン内の又はビーコンに関連したＧＰＳシステムによって得られたビーコンの場所を含む所定の周波数でランドスケープサービスに送ることができ、又は、メッセージを、外部パラメータの変化（例えば、ビーコンの方向又はスピードの変化）など何らかの事象に応じて又は内部動作パラメータに基づいた計算の結果として送ることができる。図１では、ビーコン１０２は、その場所及び識別情報をランドスケープ・トランシーバ装置１１０に送り、それがさらにその情報を他のランドスケープ装置１１２、１１４、１１６及び装置１３４に送る。同様に、ビーコン１０４は、その場所と識別情報をトランシーバ装置１１６に周期的に送り、それがさらにその情報を他のランドスケープ装置に送る。非常に少ない量のデータをランドスケープサービスに周期的に送ることによって、ビーコンは非常にわずかな電力消費で無線動作することができる。いくつかの実施形態では、ビーコンは場所と識別情報を約１時間より短い時間間隔で送信する。いくつかの実施形態では、ビーコンは場所と識別情報を約５分より短い時間間隔で送信する。いくつかの実施形態では、ビーコンは場所と識別情報を約１分より短い又は約５秒より短い時間間隔で送信する。
【００２３】
いくつかの実施形態では、ビーコンは、その代わりに又はそれに加えて、ビーコンが存在している実際の位置以外の他の地理的位置を登録する。これによって、ビーコンは情報ランドスケープにおいて異なる地理的場所にあるように見えるようになる。同様に、いくつかの実施形態では、ビーコンは多くのランドスケープサービスに直接登録し、又は近接サービスを介してランドスケープサービスに登録することもできる。
【００２４】
ある実施形態では、ランドスケープサービスは、そのサービスに登録されたビーコンとブラウザの地理的場所の表現を管理する。ランドスケープサービスは、ブラウザに対して情報ランドスケープの一つ以上のビューを提供する。例えば、ブラウザ１２０及び組み合わせ装置１３０は、トランシーバ１１０を介してランドスケープサービスに登録し、ブラウザ１２２は、トランシーバ１１６を介して登録する。各ランドスケープサービスは、図１で装置１１０、１３４、及び１１６の周りで破線１４０、１４２、及び１４４によって示されるようなある一定の範囲を有する。ランドスケープサービスの範囲は、例えば範囲１４０と１４２の場合のように、地理的なランドスケープが互いにオーバラップすることがある。ビーコンとブラウザの組み合わせ装置１３０は、ランドスケープ・トランシーバ１１０の範囲１４０と組み合わせ装置１３４の範囲１４２内にあることに注意されたい。したがって、装置１３０は、トランシーバ１１０と装置１３４のいずれか又は両方を同時に用いてランドスケープサービスに登録することができる。ランドスケープサービスは、ビーコン情報とブラウザ情報をピアツーピアに基づいて互いにやり取りすることもできる。
【００２５】
情報ランドスケープは、地理的ランドスケープ、ビーコンの識別情報及び／又は位置、及び／又はブラウザの位置及び／又は方向の表現である。ランドスケープサービスは、ブラウザのための情報ランドスケープのビューを生成するためにこの表現を操作する。
【００２６】
ある実施形態では、ランドスケープサービスがブラウザ装置１２０，１２２，１３０，１３２及び１３４に送り返すビューは、情報ランドスケープのデルタ・ビュー（delta views）の形をとることができ、それによって送信されるデータの量は減少する。
【００２７】
情報ランドスケープのビューは、ブラウザの観点からのビューの表現である。いくつかの実施形態では、ブラウザのユーザのための情報ランドスケープのプレゼンテーションを生成するために情報ランドスケープのビューがブラウザ内の処理システムによって処理される。
【００２８】
ブラウザによって表示される情報ランドスケープの地理的サイズは、どのようなタイプの情報を公開又は配布しようとしているか、公開するユーザ、ランドスケープサービス、及び／又はブラウザのユーザによって変化する。地理的サイズは、以下で詳しく論じられるいろいろなポリシーにも依存する。いくつかの実施形態では、ブラウザによって表示される情報ランドスケープの地理的サイズは約１０ｋｍより小さい。別のいくつかの実施形態では、地理的サイズは約１ｋｍより小さい。別のいくつかの実施形態では、地理的サイズは約１００メートルより小さい。別のいくつかの実施形態では、地理的サイズは約１０メートルより小さい。
【００２９】
ある実施形態では、ランドスケープサービスは、情報ランドスケープを計算する。計算は、ビーコンのスピードと場所、及び／又はビーコンが走行する地理的条件の推定、又は他の外部又は内部パラメータに基づいた位置の推定を含む。計算は、予期される事象及びビーコンのチェックポイントを含むこともできる。ある実施形態では、ユーザは、計算のパラメータを変更することができる。
【００３０】
ある実施形態では、ブラウザは、ランドスケープサービスに場所と方向を提供する。それに対して、ランドスケープサービスは、計算されたビューをブラウザに返す。ある実施形態では、ブラウザは、いくつかのランドスケープサービスから同時にビューを入手し及び処理することができる。
【００３１】
装置１２０，１２２、１３０，１３２及び１３４などのブラウザは、情報ランドスケープをユーザに提示する。例えば、プレゼンテーションは、一つ以上のランドスケープサービスのビューから計算できる。ある実施形態では、ビューは、プレゼンテーションに組み合わせる前及び／又は後にさらに計算される。
【００３２】
図２は、いくつかの実施形態に従うブラウザ装置の細部を示す。ブラウザ２００は、ディスプレイ２１８とカメラ２２０が取り付けられたハウジング２０２を含む。いくつかの実施形態では、ブラウザ２００が実際の物理的ランドスケープを表現する適切な画像の上に計算された情報ランドスケープのオーバーレイを表示できるように、カメラ２２０とディスプレイ２１８はハウジング２０２の反対側に取り付けられる。カメラ２２０を用いることによって、“カメラ・オーバーレイ”をディスプレイ２１８に表示し、ブラウザ２００が指している方向で実際のランドスケープの画像に情報ランドスケープをブラウザが重ねることができる。ブラウザ２００は、（いくつかの実施形態では、それは画像処理能力を有する）中央処理装置２１０と、（例えば、フラッシュメモリー及び／又はハードディスク記憶装置の形態の）内部記憶装置２１４と、アンテナ２１６を介してランドスケープサービスから情報を受けとり、かつ、いくつかの実施形態ではランドスケープサービスへ情報を送るための通信プロセッサ２１２と、を含む。ＧＰＳ及び／又は他のロケーション・センサ２２２が、ブラウザ２００の場所及び／又は方向／方位を検出するために備えられている。ユーザ・コントロール２３０と２３２は、ブラウザ２００のユーザからの入力を受け取り、ポインティング・デバイス及び／又は他のメニュー・ナビゲーション・ツールを含むことができる。装置２００の動作は、通常、メモリー２１４に格納されているプログラムのガイダンスの下で動作する処理装置２１０によって制御される。例えば、メモリー２１４は、典型的には、アプリケーション、周辺機器等の実行を管理するオペレーティング・システム、ユーザにコンテンツを表示するためのソフトウエア、ランドスケープサービスから受け取った情報を処理するとともに表示のために準備するためのソフトウエア、及び／又は、ここに記載されたアクションを実行するための他のソフトウエアを含む。
【００３３】
ここに記載されたシステム及び方法は、図２に示されているものと同様又は同一の装置によって又は図２に示されているコンポーネントのいくつかを有しない装置及び／又は示されていない他のコンポーネントを有する装置によって実行できることは、当業者には理解されるであろう。したがって、図２は説明のために示されたものであり、限定するために示されたものでないと理解すべきである。
【００３４】
ブラウザは、ブラウザの実際の地理的場所以外の地理的場所及び方向を示すこともできる。この場合、ある実施形態では、ユーザはその点からその方向で情報ランドスケープのビューを見る。
【００３５】
ある実施形態では、ブラウザ２００は、要求される帯域幅を減らすためにランドスケープ・ビュー及びランドスケープ・ビュー・デルタのキャッシュを記憶装置２１４に保持する。
【００３６】
ある実施形態では、ブラウザ２００は、ランドスケープサービスから受け取ったビュー計算を変更する。例えば、ブラウザは、視野の深さ、角度の幅又は見晴らしのよい地点（vintage point）をさらに制限しようとするかもしれない。
【００３７】
ブラウザは、ブラウザの動作によって得られた物理パラメータ及び測定に基づいて又はユーザに応答してビューを調整することもできる。
【００３８】
ブラウザは、ビュー計算のパラメータを得るためにランドスケープサービスとは別の離れている他のサービスを呼び出すこともできる。
【００３９】
例えば、ユーザは、ブラウザを北北西に向けて“明日の気象”と表示することができる。この情報は、ランドスケープサービスに送られ、ランドスケープサービスは、気象予報サービスとコンタクトしてユーザのブラウザが表示した方向についての明日の気象レポートを見つけることができる。その結果、ブラウザは、表示した方向で雨雲を表示してもよい。
【００４０】
別の例をあげると、ユーザは、ブラウザに築１０年よりも古い家屋に赤い点を重ねて表示するように指示することができる。ランドスケープサービスは、郡の建築サービスとコンタクトしてブラウザの付近の建物の築年のリストを見つけ、この情報をブラウザに送り返して表示することができる。
【００４１】
いくつかの実施形態では、ブラウザは、計算されたビューをさらに制限してユーザにビューを提示することもできる。例えば、メニューを提示することによって、情報ランドスケープのビューが見にくくなることがある。プレゼンテーション計算では、ブラウザ装置自身以外の装置から得られた画像、又は、第三者のサービスから得られた物理パラメータ又は動作パラメータを含めることもできる。
【００４２】
図３は、ランドスケープ・トランシーバの細部をいくつかの実施形態に従って示す。ランドスケープ・トランシーバ３００は、アンテナ３１６及びその他の通信線（図示せず）を介する通信を制御する通信コントローラー３１２を含む。処理システム３１０は、通信コントローラー３１２と記憶システム３１４の両方と通信を行う。
【００４３】
図４は、ビーコン装置の細部をいくつかの実施形態に従って示す。ビーコン４００は、アンテナ４１６を介して通信を制御する通信コントローラー４１２を含む。処理システム４１０は、通信コントローラー４１２、内部記憶装置４１４及びロケーション・センサ４１６と通信を行う。ロケーション・センサ４１６は、ＧＰＳに基づくシステムであってもよい。ユーザ入力装置４２０は、ビーコンのユーザからユーザの公開に関する情報を受け取る。
【００４４】
いくつかの実施形態では、ビーコン・ユーザは、地理的距離のような物理的パラメータ、ブラウザ・タイプ又はブラウザが提示する言明に関するポリシーを発行することによって情報ランドスケープにおける可視性を制限することができる。
【００４５】
同様に、いくつかの実施形態では、ブラウザは、ビーコンに関連した地理的パラメータ又は情報コンテンツに基づいたポリシーを用いてそのビーコン検出を制限することができ、及び／又は、ランドスケープサービスは、個々のランドスケープサービスにおいて定められたポリシーに基づいてブラウザのビュー及びビーコンの可視性を制限することができる。いくつかの実施形態では、ランドスケープサービスは、ランドスケープサービスにおいて定められたポリシーに基づいてピア間での情報交換を制限することができる。例えば、ブラウザとビーコンは、一定のタイプの情報を表示するために、一定のグループにおけるそれらの（又はそのユーザの）会員資格を証明する適切なディジタル証明書を提出するように求められることがある。しかし、適切などのようなポリシーも採用できることは理解されるであろう。そのようなポリシーを実施し及び強制するために、例えば、共通に譲渡される同時係属中の米国特許出願No.11/583,693（“’693出願”）、及び／又は共通に譲渡される米国特許出願No.10/863,551（公開No.2005/0027871）（“’551出願”）に記載されているサービス組織化テクノロジー。’に記載されているシステムと方法のようないろいろなシステムと方法を用いることができる。693出願と’551出願は両方共、全体が参照によって本出願に組み込まれる。
【００４６】
いくつかの実施形態では、ビーコンに関連したコンテンツを、そのビーコンのユーザによってそのビーコン自身から継続的に提供できる。外部ホストからの情報をビーコンと関連させるツールを用いて、コンテンツを、ユーザによってビーコンに関連させることができる。例えば、ユーザは、ビーコンがＵＲＬと関連していることを言明することができる。ある実施形態では、ビーコンと関連したコンテンツを、ブラウザがランドスケープサービスから受け取るビューの一部としてブラウザに提供できる。
【００４７】
いくつかの実施形態では、ユーザは、ユーザの（一つ以上の）ビーコンを一つ以上のランドスケープサービスに対して計算され又はキャッシュされたマルチメディア画像という形で表現する。ランドスケープサービスは、実施されている特定ポリシーに応じてビーコンのデフォルト表現をブラウザに提供することもある。ビーコンは、また、その表現を第三者サービスに登録することができる。
【００４８】
いくつかの実施形態では、ビーコンと関連したコンテンツを、マルチメディア画像と関連させることもできる。この表現は、ビーコンによって又は第三者サービスによって提供される。
【００４９】
ビーコン、それらの位置、それと関連したプレゼンテーション、それと関連したコンテンツ、コンテンツのプレゼンテーション、及び／又はその他の物理的及び／又は動作パラメータに応じて、ブラウザは、ビーコン又はビーコンと関連したコンテンツを別のマルチメディア画像として表現することを選択できる。
【００５０】
ある実施形態では、ブラウザのユーザは、ランドスケープサービスにビューを変更したいという要望をブラウザによって伝えることができる。ユーザは、視方向を変えるという意図及び／又はハイパーリンクをフォローするという意図をブラウザに伝えることができる。
【００５１】
ある実施形態では、ブラウザのユーザはブラウザの計算されたプレゼンテーション上でビーコンの表現をページングする。計算されたプレゼンテーションが更新されると、ビーコンの表現がプレゼンテーションに現れたり消えたりする。ある実施形態では、ユーザは、信号イベントを用いて更新をフリーズさせて、プレゼンテーションのハイパーリンクをフォローすることができる。この場合、ブラウザは、標準的なウエブ・ブラウザとして振舞い又はウエブ・ブラウザを呼び出してリンクをフォローする。
【００５２】
いくつかの実施形態では、ランドスケープサービスは、ビーコンと関連したコンテンツを記憶することによって権利で保護されたコンテンツの交換を提供する。例えば、このプロセスを容易にするために’551及び’693出願に記載されたシステム及び方法を用いることができる。コンテンツの交換及びコンテンツのさらなるブラウジングを、コンテンツと関連したポリシーによってガイドすることができる。
【００５３】
図５は、プレゼンテーション計算の一例をいくつかの実施形態に従って示す。図５に示されているように、イベントがトリガとなってビーコン５１０が識別情報、地理的位置及び時刻スタンプをランドスケープサービスに信号で知らせる。このイベントは、例えば、簡単な周期的タイマーであってもよく、又はビーコンのユーザのアクションであってもよい。ランドスケープサービス５１２は、例えば、ビーコンからの入力、高度や地形タイプなどの地理的情報、ビーコンがランドスケープサービスに登録したポリシー、ランドスケープサービスのポリシー、及びランドスケープサービス５１２が第三者リソースから決定できる外部パラメータ、選択を示すユーザからの信号、及び／又は、ブラウザの地理的位置及び視方向を用いてビューを計算する。
【００５４】
ブラウザ５１４は、位置、方向及びその識別情報をランドスケープサービス５１２に提供する。ブラウザ５１４は、プレゼンテーションをディスプレイ５１６に提供する。ある実施形態では、プレゼンテーションの計算は、ブラウザの場所からの画像、第三者から得られたその場所の表現、現在のブラウザのポリシー、及び／又は、ディスプレイの選択を示すユーザ信号を用いる。最後に、図５に示されているように、ディスプレイは、ユーザに理解できるフォーマットでプレゼンテーションをレンダリングする。
【００５５】
実施例―マイクロパブリッシング
【００５６】
マイクロパブリッシングは、ユーザがユーザのデータを公開する地理的区域を規定し及び区別することを可能にする。マイクロパブリッシングは、自分自身のコンテンツを含む大型ラジカセを持って歩き回るユーザにある程度似ている。違いは、他の人たちが、望むならストリート上でユーザのコレクションに耳を傾けることもでき、無視したければ完全に無視することもできる、ということである。
【００５７】
ユーザが移動すると、ユーザは、ユーザからある一定の近接区域にいる他の人たちにユーザの関心と品物を広告することができる。ユーザは、ユーザの関心を共有する人たちを容易に同定することができる。誰かがユーザのコンテンツに関心を見つけた場合には、ユーザがすぐそこにいるという利点がある。
【００５８】
以下は、ユーザの家庭用電子機器にコンテンツを公開するユーザを示す一例である。
【００５９】
図６は、いくつかの実施形態に従ってユーザが書いたコンテンツの一例を示す。この例では、ユーザはハーモニカの演奏を公開したいと思っている。この演奏は質の低いものと考えられ、無料で提供される。ユーザはパーソナルコンピュータ又はその他の録音装置で演奏を録音し、コンテンツについて小さなページ６１０をＨＴＭＬフォーマットで書く。
【００６０】
次に、ユーザは結合（binding）アクションを実行し、ビーコン装置６２０をコンテンツ６１０と関連させる。結合（binding）アクションは矢印６１４で表される。次に、この結合は、ユーザが公開しようとする（一つ以上の）ランドスケープサービスに登録される。これは、ユーザのパーソナルコンピュータとランドスケープサービスの間のインターネット又は他の何らかの通信システムによって行われる。あるいはまた、登録はランドスケープ・トランシーバと通信しているビーコン装置によって行われることもある。
【００６１】
次に、ユーザは、ビーコン装置６２０をポケットに入れて散歩する。この間、ビーコン装置６２０は、ランドスケープサービスに対して、ユーザの地理的場所を、周期的にランドスケープ・トランシーバ６３０によって更新する。この更新は矢印６２４によって表される。
【００６２】
ユーザがすぐ近くの区域にユーザのコンテンツを公開するのに忙しくしているときに、第二のユーザは自分の周りに何か興味深いものがないかブラウジングしている。図７は、第一のユーザのコンテンツを表示するブラウザの一例をある実施形態によって示す。ブラウザ装置７１０は、第二のユーザがコンテンツ及びその他の情報を見ることができる大型カラー・ディスプレイ７１２を有する携帯用無線装置である。ブラウザ装置７１０は、ディジタル・ボタン列７３０と７３４、アナログ・ジョイスティック又はディスク７３２などのユーザ入力を受け入れるいろいろなボタンを含む。さらに別のある実施形態では、ディスプレイ７１２は、ディスプレイの画面上でユーザ入力を直接受け入れるためにタッチセンサ式である。ブラウザ装置７１０は、音楽やその他のオーディオ・コンテンツを再生するためのオーディオ・スピーカー及び／又はヘッドフォン・ジャックを含む。いくつかの実施形態では、ブラウザ装置７１０は、静止及び／又はビデオ画像を取得するために後側に取り付けられたカメラ７５０を含む。この例では、ディスプレイ７１２は、第一のユーザの静止画像又はビデオ画像７２０を、図６で示して説明したページ６１０に対応する小さなＨＴＭＬページ７２２と共に示す。ブラウザ装置７１０が第一のユーザの方向に向けられた場合、画像７２０を、ブラウザ装置７１０に取り付けられたカメラを用いて直接生成することができる。別の実施形態では、画像７２０は、コンテンツ制作ステップの一部として第一のユーザ自身によって生成される。
【００６３】
図６と７によって説明した例では、ランドスケープサービスは地理的に認識できる装置の間、すなわち、ビーコンとブラウザ装置の間のマッピング・サービス及びそれらに付随する情報又はデジタルコンテンツを提供する。
【００６４】
ブラウザ装置７１０などのクライアント装置は、地理的位置、方向及び識別情報をランドスケープサービスに提供する。ランドスケープサービスに表示のリクエストが到着すると、ランドスケープサービスは、クライアントが見る情報ランドスケープを計算する。計算には、特に、クライアントが望む可視性及びクライアントが望む視野範囲が関わる。例えば、ブラウザ装置７１０は、ボタン列７３０を用いて所望する視野角（又はズーム）、ならびに左右又は上下ナビゲーションに関するユーザの入力を受け入れることができる。あるいはまた、又はそれに加えて、他の判別量を用いることもある。
【００６５】
ランドスケープサービスがクライアントの地理的場所と関連させる情報は、一つ以上のいろいろな源から集めることができる。例えば、ＵＲＬｓ、プレーン・テキスト又はフォーマトされたテキスト、オーディオ・コンテンツ、ビデオ・コンテンツ、又はレンダリングできるその他の形のコンテンツである。
【００６６】
情報ランドスケープが計算されると、ランドスケープ情報はクライアントに送り返され、そこで情報ランドスケープは装置７１０などのクライアントのブラウザ装置によってディスプレイされる。
【００６７】
クライアントは、いくつのランドスケープサービスに申し込んでもよく、その地理的場所をそれらのサービスに直接又は何らかのプロキシを介して知らせることができる。
【００６８】
実施例―ブラウザ動作
【００６９】
ある実施形態では、その地理的場所及びそれが指している方向を認識しているブラウザが用いられる。ある意味で、ブラウザは、周りのサイバースペースを撮影するカメラのように考えることができる。
【００７０】
図８は、何人かの他のユーザからのコンテンツを表示するブラウザ装置の一例を示す。ブラウザ装置８１０は、カメラ８５０と、装置の後側に配置された、コンテンツを見るためのディスプレイ８１２と、を含む。この例では、ブラウザのユーザは座っており、人々は装置８１０を用いて見ている。異なるラベルの一群の人々が通り過ぎる。そのうちの一人である人８２０は、小さなページ８２６で飲料を宣伝している。別の人である人８２２は、小さなページ８２８で高校生のための交換プログラムを宣伝している。ディスプレイ８１２に示されているように、ユーザはブラウザ装置８１０を用いてこのシーンを捕らえる。
【００７１】
図９は、ユーザの関心にマッチしているように思われる人を見つけるために用いられているブラウザ装置の一例を示す。ブラウザ装置９１０は、コンテンツを見るためのディスプレイ９１２及びディスプレイ９１２に対して装置９１０の後側に取り付けられたカメラ９５０を含む。さらに、装置９１０は、ブラウザ・ユーザの周りのサイバースペースの“スナップショット”を取得してセーブすることができる。装置９１０を用いて、ブラウザ・ユーザはユーザの関心にマッチしているように思われる人９２２を見つける。例えば、人９２２は同じ年齢層、同じ社会経済層、などに含まれる人かもしれない。ブラウザ装置９１０のユーザは、ディスプレイ９１２に示されているように、その人のまわりのサイバースペースの簡易静止画像を、人９２２のコンテンツ・ページを含めてスナップ撮影する。あとで家に着いてから、ユーザはセーブしたスナップショットを見直し、人９２２とユーザの間のディジタル画像の売買を完結させることができる。
【００７２】
図１０は、別の実施形態による重ねられたページを有するブラウザ装置の一例を示す。この例では、ブラウザ１０１０のユーザは街をドライブしている。図１０に示されているように、別のユーザが売ろうとする物品を表示するページ１０２０を公開している。背景では、ページ１０２２と１０２４で、兄弟姉妹が口論している。図１０に見られるように、ブラウザ・ディスプレイは、ページ１０２０、１０２２及び１０２４を重ねて示し、ディスプレイ１０１２の割り当てられた区域でコンテンツがフィットしなければページはフェードアウトする。ブラウザ１０１０は、カメラ１０５０も含む。
【００７３】
図１１は、乗せてくれる車（ride）を探すために用いられるブラウザの一例を別の実施形態によって示す。この例では、ブラウザ１１１０のユーザは乗せてくれる車を探している。この場合、ブラウザ１１１０はビーコンを含む組み合わせ装置であり、ディスプレイ１１１２とカメラ１１５０も含む。ユーザは、ミルピタスまで乗せてくれる車を必要としていることを示す短いメッセージを作成し、そのメッセージをブラウザ／ビーコン装置と結合する。メッセージは、ランドスケープサービスによって近くの他のブラウザが見られるように公開される。ユーザは、人と車が出会う場所―例えば、ガソリンスタンドで待つ。別のユーザ１１２２が駐車し、第一のユーザが乗せてくれる車を必要としていることに気づく。ユーザ１１２２は、コンテンツ・メッセージ１１２０を公開してそれに応答する。第一のユーザは、ブラウザ／ビーコン１１１０のスクリーン１１１２上でそのメッセージを見る。
【００７４】
以上の説明では、分かりやすくするために詳細にわたって記述したが、原理から逸脱することなくそれにいくつかの変更を加えることができることは明らかであろう。本明細書に記載されたプロセス及び装置を実現するためのいろいろな選択肢があることに注意しなければならない。したがって、以上の実施形態は例示的なものであって制限的なものではないと考えるべきであり、本発明はここで記載された細部に限定されず、添付された特許請求の範囲内で変更することができる。
【図１】
2010534882.tif 000003
【図２】
2010534882.tif 000004
【図３】
2010534882.tif 000005
【図４】
2010534882.tif 000006
【図５】
2010534882.tif 000007
【図６】
2010534882.tif 000008
【図７】
2010534882.tif 000009
【図８】
2010534882.tif 000010
【図９】
2010534882.tif 000011
【図１０】
2010534882.tif 000012
【図１１】
2010534882.tif 000013
【国際調査報告】
2010534882.tif 000014
2010534882.tif 000015